(57)【特許請求の範囲】
【請求項１】
電磁石を内蔵した複数のパネル体を単数枚または複数枚用いて形成された中央パネル部、左パネル部、右パネル部を有し、前記中央パネル部に対し、前記左パネル部および前記右パネル部が連結部を介して回動可能に連結された磁気治療器であって、
前記電磁石に供給すべき電流量があらかじめ設定された電流量の範囲内でランダム値となるように制御する電流制御部と、
前記中央パネル部、前記左パネル部、前記右パネル部により平坦面が形成されている状態においては、それぞれに内蔵されている前記電磁石の磁極が同一となる第１の状態と、前記中央パネル部に対する前記左パネル部または前記右パネル部のいずれか一方の回動角度があらかじめ設定されている回動角度以上になった際に、当該回動させたパネル部に内蔵されている前記電磁石の磁極が回動前における磁極と逆磁極となる第２の状態となるように、前記各電磁石への電源供給状態を切り替えする磁極切替機構と、を具備し、
前記磁極切替機構は、
前記左パネル部の内部に配設され、前記中央パネルに対する前記左パネル部の回動角度が所定角度以上に回動されたことを検出する第１の検出手段と、
前記右パネル部の内部に配設され、前記中央パネルに対する前記右パネル部の回動角度が所定角度以上に回動されたことを検出する第２の検出手段と、
前記第１の検出手段および前記第２の検出手段により検出された検出信号の組み合わせに基づいて、前記左パネルおよび右パネルに内蔵されている電磁石への供給電流の向き、および、前記中央パネルに内蔵されている電磁石への供給電流のオンオフのうち、少なくとも前記左パネルおよび右パネルに内蔵されている電磁石への供給電流の向きを切り替え処理するスイッチ手段を備え、
前記第１の検出手段は、
前記左パネル部に所要間隔をあけて固定された第１の信号送信手段および第１の信号検出手段と、前記連結部に設けられ、前記中央パネル部に対する前記左パネル部の回動状態に合わせて、前記第１の信号送信手段と前記第１の信号検出手段との間に進退し、前記第１の信号送信手段から送信された信号を遮蔽することが可能な第１の遮蔽部材と、を有し、
前記第２の検出手段は、
前記右パネル部に所要間隔をあけて固定された第２の信号送信手段および第２の信号検出手段と、前記連結部に設けられ、前記中央パネル部に対する前記右パネル部の回動状態に合わせて、前記第２の信号送信手段と前記第２の信号検出手段との間に進退し、前記第２の信号送信手段から送信された信号を遮蔽することが可能な第２の遮蔽部材と、を有していることを特徴とする磁気治療器。
【請求項２】
電磁石を内蔵した複数のパネル体を単数枚または複数枚用いて形成された中央パネル部、左パネル部、右パネル部を有し、前記中央パネル部に対し、前記左パネル部および前記右パネル部が連結部を介して回動可能に連結された磁気治療器であって、
前記電磁石に供給すべき電流量を、第1の電流量と、該第1の電流量よりも大電流である第２の電流量とに設定すると共に、前記電磁石に、前記第１の電流量と前記第２の電流量とを繰り返し供給する電流制御部と、
前記中央パネル部、前記左パネル部、前記右パネル部により平坦面が形成されている状態においては、それぞれに内蔵されている前記電磁石の磁極が同一となる第１の状態と、前記中央パネル部に対する前記左パネル部または前記右パネル部のいずれか一方の回動角度があらかじめ設定されている回動角度以上になった際に、当該回動させたパネル部に内蔵されている前記電磁石の磁極が回動前における磁極と逆磁極となる第２の状態となるように、前記各電磁石への電源供給状態を切り替えする磁極切替機構と、を具備し、
前記磁極切替機構は、
前記左パネル部の内部に配設され、前記中央パネルに対する前記左パネル部の回動角度が所定角度以上に回動されたことを検出する第１の検出手段と、
前記右パネル部の内部に配設され、前記中央パネルに対する前記右パネル部の回動角度が所定角度以上に回動されたことを検出する第２の検出手段と、
前記第１の検出手段および前記第２の検出手段により検出された検出信号の組み合わせに基づいて、前記左パネルおよび右パネルに内蔵されている電磁石への供給電流の向き、および、前記中央パネルに内蔵されている電磁石への供給電流のオンオフのうち、少なくとも前記左パネルおよび右パネルに内蔵されている電磁石への供給電流の向きを切り替え処理するスイッチ手段を備え、
前記第１の検出手段は、
前記左パネル部に所要間隔をあけて固定された第１の信号送信手段および第１の信号検出手段と、前記連結部に設けられ、前記中央パネル部に対する前記左パネル部の回動状態に合わせて、前記第１の信号送信手段と前記第１の信号検出手段との間に進退し、前記第１の信号送信手段から送信された信号を遮蔽することが可能な第１の遮蔽部材と、を有し、
前記第２の検出手段は、
前記右パネル部に所要間隔をあけて固定された第２の信号送信手段および第２の信号検出手段と、前記連結部に設けられ、前記中央パネル部に対する前記右パネル部の回動状態に合わせて、前記第２の信号送信手段と前記第２の信号検出手段との間に進退し、前記第２の信号送信手段から送信された信号を遮蔽することが可能な第２の遮蔽部材と、を有していることを特徴とする磁気治療器。
【請求項３】
前記電流制御部は、
前記第１の電流量を前記電磁石に供給する第１電流供給時間と、前記第２の電流を前記電磁石に供給する第２電流供給時間とがそれぞれランダム時間となるように供給することを特徴とする請求項２記載の磁気治療器。
【請求項４】
前記電流制御部は、
前記第１の電流量を前記電磁石に供給する第１電流供給時間と、前記第２の電流を前記電磁石に供給する第２電流供給時間とが所要間隔となるように供給することを特徴とする請求項２記載の磁気治療器。
【請求項５】
前記第１電流供給時間と、前記第２電流供給時間のそれぞれを任意の時間に設定可能とする電流供給時間設定部をさらに有していることを特徴とする請求項４記載の磁気治療器。
【発明の詳細な説明】
【技術分野】
【０００１】
本発明は磁気治療器に関する。
【背景技術】
【０００２】
電磁石を用いて身体のコリ等を軽減させるための磁気治療器はさまざまな形態のものが提案されている。近年では様々な使用形態を可能にするため、小型で使い勝手の良い磁気治療器の提案が望まれている。このような磁気治療器としては、例えば特許文献１や特許文献２に開示されているような磁気治療器が提案されている。
特許文献１および特許文献２で提案されている磁気治療器は、磁気コイルからの磁気を身体に効率的に照射させるために、磁気コイルを取り付ける本体部をフレキシブルな素材からなるシート体に形成している点が特徴的である。
このようなフレキシブルシートからなる本体部を採用することにより、磁気治療器を体の凹凸状態に合わせて装着することができるため、身体の所望の部位に効率的に磁気を照射させることが可能であるとしている。
【先行技術文献】
【特許文献】
【０００３】
【特許文献１】特開平６−３３９５３４号公報
【特許文献２】特開２００６−２９６６６９号公報
【発明の開示】
【発明が解決しようとする課題】
【０００４】
以上に示したように、身体の凹凸状態に合わせて磁気治療器を確実に装着することができることにより、身体に対して適切な磁気の照射が可能になったが、身体に一定強度の磁気（磁束密度）を照射し続けると、身体が磁気（磁束密度）に慣れた状態になってしまい、効果的な磁気治療ができないことがあるという課題が明らかになった。
【０００５】
そこで本願発明は、磁気治療器において、電磁石が生成する磁束密度を適宜切り替えることにより、磁気（磁束密度）に対する身体の慣れを防止し、効率的な磁気治療が可能な磁気治療器の提供を目的としている。
【課題を解決するための手段】
【０００６】
上記課題を解決し、目的を達成させるために鋭意研究を行った結果、本願発明者は以下の構成に想到した。
すなわち、電磁石を内蔵した複数のパネル体を単数枚または複数枚用いて形成された中央パネル部、左パネル部、右パネル部を有し、前記中央パネル部に対し、前記左パネル部および前記右パネル部が連結部を介して回動可能に連結された磁気治療器であって、前記電磁石に供給すべき電流量があらかじめ設定された電流量の範囲内でランダム値となるように制御する電流制御部と、前記中央パネル部、前記左パネル部、前記右パネル部により平坦面が形成されている状態においては、それぞれに内蔵されている前記電磁石の磁極が同一となる第１の状態と、前記中央パネル部に対する前記左パネル部または前記右パネル部のいずれか一方の回動角度があらかじめ設定されている回動角度以上になった際に、当該回動させたパネル部に内蔵されている前記電磁石の磁極が回動前における磁極と逆磁極となる第２の状態となるように、前記各電磁石への電源供給状態を切り替えする磁極切替機構と、を具備し、前記磁極切替機構は、前記左パネル部の内部に配設され、前記中央パネルに対する前記左パネル部の回動角度が所定角度以上に回動されたことを検出する第１の検出手段と、前記右パネル部の内部に配設され、前記中央パネルに対する前記右パネル部の回動角度が所定角度以上に回動されたことを検出する第２の検出手段と、前記第１の検出手段および前記第２の検出手段により検出された検出信号の組み合わせに基づいて、前記左パネルおよび右パネルに内蔵されている電磁石への供給電流の向き、および、前記中央パネルに内蔵されている電磁石への供給電流のオンオフのうち、少なくとも前記左パネルおよび右パネルに内蔵されている電磁石への供給電流の向きを切り替え処理するスイッチ手段を備え、前記第１の検出手段は、前記左パネル部に所要間隔をあけて固定された第１の信号送信手段および第１の信号検出手段と、前記連結部に設けられ、前記中央パネル部に対する前記左パネル部の回動状態に合わせて、前記第１の信号送信手段と前記第１の信号検出手段との間に進退し、前記第１の信号送信手段から送信された信号を遮蔽することが可能な第１の遮蔽部材と、を有し、前記第２の検出手段は、前記右パネル部に所要間隔をあけて固定された第２の信号送信手段および第２の信号検出手段と、前記連結部に設けられ、前記中央パネル部に対する前記右パネル部の回動状態に合わせて、前記第２の信号送信手段と前記第２の信号検出手段との間に進退し、前記第２の信号送信手段から送信された信号を遮蔽することが可能な第２の遮蔽部材と、を有していることを特徴とする磁気治療器である。
【０００７】
また、他の発明として、電磁石を内蔵した複数のパネル体を単数枚または複数枚用いて形成された中央パネル部、左パネル部、右パネル部を有し、前記中央パネル部に対し、前記左パネル部および前記右パネル部が連結部を介して回動可能に連結された磁気治療器であって、前記電磁石に供給すべき電流量を、第1の電流量と、該第1の電流量よりも大電流である第２の電流量とに設定すると共に、前記電磁石に、前記第１の電流量と前記第２の電流量とを繰り返し供給する電流制御部と、前記中央パネル部、前記左パネル部、前記右パネル部により平坦面が形成されている状態においては、それぞれに内蔵されている前記電磁石の磁極が同一となる第１の状態と、前記中央パネル部に対する前記左パネル部または前記右パネル部のいずれか一方の回動角度があらかじめ設定されている回動角度以上になった際に、当該回動させたパネル部に内蔵されている前記電磁石の磁極が回動前における磁極と逆磁極となる第２の状態となるように、前記各電磁石への電源供給状態を切り替えする磁極切替機構と、を具備し、前記磁極切替機構は、前記左パネル部の内部に配設され、前記中央パネルに対する前記左パネル部の回動角度が所定角度以上に回動されたことを検出する第１の検出手段と、前記右パネル部の内部に配設され、前記中央パネルに対する前記右パネル部の回動角度が所定角度以上に回動されたことを検出する第２の検出手段と、前記第１の検出手段および前記第２の検出手段により検出された検出信号の組み合わせに基づいて、前記左パネルおよび右パネルに内蔵されている電磁石への供給電流の向き、および、前記中央パネルに内蔵されている電磁石への供給電流のオンオフのうち、少なくとも前記左パネルおよび右パネルに内蔵されている電磁石への供給電流の向きを切り替え処理するスイッチ手段を備え、前記第１の検出手段は、前記左パネル部に所要間隔をあけて固定された第１の信号送信手段および第１の信号検出手段と、前記連結部に設けられ、前記中央パネル部に対する前記左パネル部の回動状態に合わせて、前記第１の信号送信手段と前記第１の信号検出手段との間に進退し、前記第１の信号送信手段から送信された信号を遮蔽することが可能な第１の遮蔽部材と、を有し、前記第２の検出手段は、前記右パネル部に所要間隔をあけて固定された第２の信号送信手段および第２の信号検出手段と、前記連結部に設けられ、前記中央パネル部に対する前記右パネル部の回動状態に合わせて、前記第２の信号送信手段と前記第２の信号検出手段との間に進退し、前記第２の信号送信手段から送信された信号を遮蔽することが可能な第２の遮蔽部材と、を有していることを特徴とする磁気治療器がある。
【発明の効果】
【０００８】
本発明にかかる磁気治療器によれば、磁気治療器から照射される磁気（磁束密度）に変化をもたせながら身体に照射させることができるため、磁気に対する身体の慣れを軽減し、長時間にわたって効果的な磁気治療をすることが可能である。
また、磁気治療器の使用状態に応じて磁気治療器に内蔵されている電磁石の磁極状態を適宜切り替えることができるため、磁気治療器の装着状態にかかわらず最適な状態で磁気を身体に照射することが可能である。
【図面の簡単な説明】
【０００９】
【図１】本実施形態における磁気治療器の平面図（Ａ）および正面図（Ｂ）である。
【図２】本実施形態における磁気治療器の第１の検出手段の概略構造を示す斜視図（Ａ）と斜視図に対応させた動作説明図（Ｂ）である。
【図３】本実施形態における磁気治療器の第１の検出手段の概略構造を示す斜視図（Ａ）と斜視図に対応させた動作説明図（Ｂ）である。
【図４】本実施形態における磁気治療器の第１の検出手段の概略構造を示す斜視図（Ａ）と斜視図に対応させた動作説明図（Ｂ）である。
【図５】磁気治療器を平坦状態にした際における磁力線の状態を模式的に表した説明正面図である。
【図６】本実施形態における磁気治療器の左右のパネル部を中央パネル部に対して所定角度の範囲内で曲折した状態における磁力線の状態を模式的に表した説明正面図である。
【図７】本実施形態における磁気治療器の左パネル部を中央パネル部および右パネル部に対してほぼ直角に曲折させた際における磁力線の状態を模式的に表した説明正面図である。
【図８】本実施形態における磁気治療器の左パネル部と右パネル部を中央パネル部に対してほぼ直角に曲折させた際における磁力線の状態を模式的に表した説明正面図である。
【図９】本実施形態における磁気治療器の概略構造を示したブロック図である。
【図１０】磁気治療器から照射される磁束密度の経時的変化を示すグラフである。
【図１１】他の実施形態における磁気治療器から照射される磁束密度の経時的変化を示すグラフである。
【図１２】他の実施形態における磁気治療器から照射される磁束密度の経時的変化を示すグラフである。
【発明を実施するための最良の形態】
【００１０】
以下、本発明にかかる磁気治療器１０の実施形態について、図面に基づいて説明する。図１は、本実施形態における磁気治療器の平面図（Ａ）および正面図（Ｂ）である。
本実施形態における磁気治療器１０は、左パネル体２２からなる左パネル部２０、中央パネル体３２からなる中央パネル部３０、右パネル体４２からなる右パネル部４０を有している。磁気治療器１０は、図１に示すように中央パネル部３０に対して左パネル部２０と右パネル部４０が連結部である連結軸５０を介してそれぞれ回動可能に連結されている。このように３枚のパネル体により構成された磁気治療器１０には、電源を供給するための電源コード６０および図示しない操作器に電気的に接続する接続コード７０が図示しないコネクタにより右パネル体４２に着脱自在に接続されている。電源コード６０および接続コード７０は中央パネル部３０または左パネル部２０に接続させることもできる。
【００１１】
本実施形態においては、左パネル部２０、中央パネル部３０、右パネル部４０はそれぞれ１枚のパネル体により構成されているが、第１パネル体、第２パネル体、第３パネル体、第４パネル体，第５パネル体・・・とした４つ以上のパネル体により構成されていてもよい。この場合、各パネル部を構成するパネル体どうしも連結軸５０を介して互いに回動可能に連結すればよい。
【００１２】
左パネル部２０と右パネル部４０について説明する。本実施形態においては、左パネル部２０と右パネル部４０は基本的には同じ構造を有しているので、ここでは左パネル部２０の説明のみを行うことにする。左パネル部２０の各構成において第１の〜２Ｘ（Ｘは自然数または自然数と文字の組みあわせ）と説明している構成は、右パネル部４０の構成における第２の〜４Ｘ（Ｘは自然数または自然数と文字の組みあわせ）と置き換えることができる。
【００１３】
左パネル部２０は、図１（Ａ）に示すように、平面視がほぼコの字型に形成された左パネル体２２を有し、左パネル体２２の上面側には球面状をなす突状部２３が配設されている。突状部２３は使用者の身体の一部を磁気治療器１０に押圧した際に、指圧効果を得ることができる。このような突状部２３は、左パネル体２２の左右両端部の近傍位置に所要間隔をあけて複数列に配設されている。本実施形態においては、中央パネル部３０側の突状部２３の下方位置にヒータ２４を埋設している。このヒータ２４は磁気治療器１０の表面を温めるためのものであり、特に冬季において良好な使い心地を提供するためのものである。突状部２３はヒータ２４埋設部との長時間の接触による低温火傷を防止するという点においても好都合である。ヒータ２４への電力供給は、図示しない電流制御部により電力供給のオンオフ動作が制御されている。
【００１４】
また、左パネル体２２の平面中央部分には電磁石２５とバイブレータ２６が埋設されている。電磁石２５は、図１（Ａ）における上下方向からバイブレータ２６を挟み込む配置となる２箇所（同心円状の模様が施された平面位置）に埋設されている。また、バイブレータ２６の振動子には筒状体２６Ａの一端部が当接した状態で配設されている。この筒状体２６Ａの他端部は左パネル体２２の上面から突出しているので、使用者の身体の一部を筒状体２６Ａに接触させれば、バイブレータ２６からの振動が筒状体２６Ａを介して使用者の身体の一部に好適に付与され、マッサージ効果を得ることができる。また、バイブレータ２６による振動を、磁気治療器１０による磁気供給が開始された後における所定時間や、磁気治療器１０による磁気供給時における所要の時間間隔や、タイマー設定機能による使用時における設定時間到達前の所定時間のいずれかまたはすべてにおいて発生させることもできる。バイブレータ２６による振動は、使用者に磁気治療器１０の作動状況を伝達する手段として使用することもできる。
【００１５】
左パネル部２０における右側の２箇所の突出部分２０Ａの側面には、連結軸５０を装着するための連結穴２８が設けられている。本実施形態における連結部は連結軸５０と連結穴２８（連結孔３８）とにより構成されている。
電磁石２５とバイブレータ２６への電力供給は、電流制御部８０によりオンオフ動作や出力が制御されている。
【００１６】
次に中央パネル部３０について説明する。図１（Ａ）に示すように、中央パネル部３０は平面視形状が略十字型に形成された中央パネル体３２を有し、中央パネル体３２の上面側には球面状の突状部３３が配設されている。突状部３３は、中央パネル体３２の左右両端部の近傍位置に所要間隔をあけて複数列に配設されている。中央パネル体３２の平面中央位置には電磁石３５とバイブレータ３６が埋設されている。電磁石３５は、図１（Ａ）において上下方向からバイブレータ３６を挟み込む配置で２箇所（同心円の模様部分）に埋設されている。また、バイブレータ３６の振動子には筒状体３６Ａの一端部が当接した状態で配設されている。中央パネル体３２の上面には筒状体３６Ａの他端部が突出している。中央パネル部３０の左右側面２箇所の突出部分３０Ａの側面には、連結部である連結軸５０を挿通させるための連結孔３８が設けられている。
左パネル部２０と同様に、中央パネル部３０に配設された電磁石３５およびバイブレータ３６への電力供給は、電流制御部８０によりオンオフ動作や出力が制御されている。
【００１７】
各パネル２０，３０，４０に内蔵された電磁石２５，３５，４５の磁極を各パネル２０，３０，４０の連結角度に応じて切り替えする磁極切替機構について説明する。
ここでは、左パネル部２０に配設された第１の検出手段のみについて詳細な説明を行うが、右パネル部４０に配設された第２の検出手段も第１の検出手段と同じ構成を採用することができる。図２〜図４は、本実施形態における磁気治療器の第１の検出手段の概略構造を示す斜視図（Ａ）と斜視図に対応させた動作説明図（Ｂ）である。
左パネル部２０の突出部分２０Ａのうち少なくとも一方の内部には、第１の検出手段であり、第１の信号送信手段である光照射手段としてのＬＥＤ２９Ａおよび第１の信号検出手段である光検出手段としてのフォトトランジスタ２９Ｂとが所要間隔をあけた状態で基板２９Ｃに装着された状態で固定されている。
【００１８】
フォトトランジスタ２９Ｂは、マイクロコンピュータおよび磁極切替動作制御プログラムを有する電流制御部に電気的に接続されていて、電流制御部には受光量情報が常時または所要の時間間隔で送信されている。また、連結軸５０の先端部分には、第１の遮蔽部材である突出片２９Ｄが形成されている。突出片２９Ｄ部分は光不透過性材料により形成または被覆されている。本実施形態においては連結軸５０と突出片２９Ｄを一体に形成しているが、連結軸５０と突出片２９Ｄはそれぞれ別体に形成し、両者を一体に組み立てすることもできる。このように形成された突出片２９Ｄは、中央パネル部３０に対する左パネル部２０および右パネル部４０の回動動作に伴って連結軸５０と共に回動することで、ＬＥＤ２９Ａとフォトトランジスタ２９Ｂとの間に進退自在に設けられている。
左パネル部２０が中央パネル部３０と同一平面をなす状態から所要角度に回動するまでの範囲においては、図２に示すように、突出片２９ＤはＬＥＤ２９Ａとフォトトランジスタ２９Ｂとの間からは外れた場所に位置している。この状態においては、フォトトランジスタ２９Ｂは最大受光量に対して１００％の受光量を検出することになる。
【００１９】
左パネル部２０を中央パネル部３０に対して回動させると、ＬＥＤ２９Ａとフォトトランジスタ２９Ｂが左パネル部２０と共に回動し、図３に示すように、ＬＥＤ２９Ａとフォトトランジスタ２９Ｂとの間に突出片２９Ｄの一部が進入することになる。突出片２９Ｄは光不透過性材料により形成されているので、突出片２９Ｄによりフォトトランジスタ２９Ｂの受光面積（ＬＥＤ２９Ａの光照射部分）の一部が覆われた状態になるため、左パネル部２０を中央パネル部３０に対して回動させる前の状態（最大受光量）に比較して受光量が減少することになる。フォトトランジスタ２９Ｂは、実際の受光量を最大受光量に対する百分率等で数値化することが可能であり、受光量の数値データが電流制御部に送信されている。
【００２０】
電流制御部の磁極切替動作制御プログラムには予めフォトトランジスタ２９Ｂから送信された受光量の数値データに対する閾値が設定されている。この磁極切替動作制御プログラムに設定されている閾値は、外部入力手段等により変更可能に設定しておけば尚好都合である。
電流制御部は、フォトトランジスタ２９Ｂから受信した受光量の数値データが閾値を下回ったことを確認すると、左パネル部２０が中央パネル部３０に対して所定角度以上に回動されたものと判断している。そして左パネル部２０が中央パネル部３０に対してさらに回動して、中央パネル部３０に対する左パネル部２０の回動角度が９０度をなすと、図４に示すように、突出片２９Ｄがフォトトランジスタ２９Ｂの受光面のすべてを覆う（ＬＥＤ２９Ａの光照射面をすべて覆う）ことになる。すなわちこの状態においては、フォトトランジスタ２９Ｂから電流制御部に送信される受光量の数値データは０％となる。
【００２１】
電流制御部は、左パネル部２０内に固定された第１の信号検出手段の一部であるフォトトランジスタ２９Ｂから送信された受光量信号である受光量の数値データと、右パネル部４０内に固定された図示しないフォトトランジスタから送信された受光量の数値データとの組み合わせにより、左パネル部２０、中央パネル部３０、右パネル部４０のそれぞれに内蔵されている電磁石２５，３５、４５への電源供給状態（電流の向き）を適宜切り替えるスイッチ手段としても機能する。
具体的には、左パネル部２０および右パネル部４０のフォトトランジスタ２９Ｂ（右パネル部は図示せず）から送信された受光量の数値データがいずれも１００％〜５０％の範囲にある場合（ＬＥＤ２９Ａとフォトトランジスタ２９Ｂと突出片２９Ｄとの位置関係が、図２〜図３に示す範囲にある場合）には、電流制御部は図５、図６に示すように、各電磁石２５，３５，４５の上面側がすべてＮ極になるように電磁石２５，３５，４５に電流を供給する第１の状態を提供する。
【００２２】
また、左パネル部２０または右パネル部４０のいずれか一方のフォトトランジスタ（ここでは左パネル部２０のフォトトランジスタ２９Ｂとする）からの受光量の数値データのみが５０％未満になった場合（ＬＥＤ２９Ａとフォトトランジスタ２９Ｂと突出片２９Ｄとの位置関係が、図３に示す状態から図４に示す状態にわずかに近づいた状態になった場合）には、電流制御部は図７に示すように、左パネル部２０の電磁石２５への供給電流の向きを当初状態（左パネル部２０を回動させる前の状態）と逆向きにして、中央パネル部３０および右パネル部４０側の面がＳ極となる第２の状態を提供する。
【００２３】
さらに、左パネル部２０および右パネル部４０のフォトトランジスタ２９Ｂ（右パネル部は図示せず）から送信された受光量の数値データがいずれも５０％未満になった場合には、電流制御部は図８に示すように、左パネル部２０の電磁石２５への供給電流の向きを当初状態（左パネル部２０を回動させる前の状態）と逆向きにして、中央パネル部３０の電磁石３５への供給電流をストップし、右パネル部４０の電磁石４５への供給電流の向きを当初状態のまま（左パネル部２０に対向する面がＮ極となる）を維持させた第３の状態を提供する。
【００２４】
第１の状態では、図５、図６に示すように磁気治療器１０は略平坦面をなしていて、それぞれの面における磁極を同一にすることができるため、使用者は広範囲にわたって所定の磁力を作用させることができる。
第２の状態では、図７に示すように磁気治療器１０を略Ｌ字型にして用いる際に、左パネル部２０に対して中央パネル部３０および右パネル部４０からの磁力線を集中させることができるため、第１の状態に比較して強い磁力を作用させることができる。従来の磁気治療器を図７に示す状態にした場合には、左パネル部２０の磁極と中央パネル部３０および右パネル部４０の磁極とが互いに反発しあう状態になり、使用者は磁気を当てたい部位に効率的に磁力を作用させることができなかった。このため、本実施形態における磁気治療器１０は極めて使い勝手がよいことが諒解される。
【００２５】
第３の状態では、図８に示すように、磁気治療器１０をコの字型にして用いる際に、右パネル部４０から放出された磁力が左パネル部２０に向かって流れる磁場を形成することになる。また、中央パネル部３０の電磁石３５からは磁力が放出されていないため、右パネル部４０のＮ極から放出された磁力は直接左パネル部２０のＳ極に流入することになるため、使用者は磁気を当てたい部位を中央パネル部３０の位置に配置すれば磁気を集中的に作用させることができる。従来の磁気治療器を図８に示す状態にした場合には、左パネル部２０からの磁気と右パネル部４０からの磁気が中央パネル部３０からの磁気と互いに反発しあう状態になり、使用者に対して効率的に磁力を作用させることができなかった。この点においても本実施形態における磁気治療器１０は極めて使い勝手がよいことが諒解される。
【００２６】
図９は、本実施形態かかる磁気治療器の概略構造を示したブロック図である。図９に示すように、左パネル部２０、中央パネル部３０、右パネル部４０のそれぞれに内蔵されている電磁石２５，３５，４５には、電流制御部８０が接続されている。電流制御部８０は、電磁石２５，３５，４５に供給すべき電流量を制御することにより、各電磁石２５，３５，４５により生成される磁力の強さ（磁束密度）に差をつけ、各電磁石２５，３５，４５から身体に照射される磁力の強さ（磁気密度）に変化をもたせることで身体の磁気慣れを防止して効果的な磁気治療を可能にしている。
【００２７】
電流制御部８０から電磁石２５，３５，４５に供給される電流量の強弱パターンとしては、例えば図１０〜図１２に示すような供給電流の強弱パターンを採用することができる。ここに、図１０〜図１２において示されている各グラフの横軸は時間軸であり、縦軸は電磁石により発生する磁束密度（すなわち、電磁石に供給される電流量）を示している。
電磁石２５，３５，４５は、供給された電流量に応じた磁束密度を生成する。本実施形態における電磁石２５，３５，４５はそれぞれ同一性能のものを採用している。
【００２８】
まず、図１０に示した供給電流の強弱パターンについて説明する。
図１０に例示した電流制御部８０から供給された電流により電磁石２５，３５，４５が生成する磁束密度の強弱パターンは、最大磁束密度と最小磁束密度の範囲内でランダムな磁束密度となるようにしたものである。すなわち、電流制御部８０は、電磁石２５，３５，４５に対して最大供給電流量と最小供給電流量との範囲内でランダムな電流量を供給することになる。本実施形態における最大供給電流量は、電磁石２５，３５，４５が発生する磁束密度が１５０ｍＴとなる電流量とし、同じく最小供給電流量は、電磁石２５，３５，４５が発生する磁束密度が３５ｍＴとなる電流量としている。
図１０に示した供給電流の強弱パターンにおいては、電磁石２５，３５，４５に電流を供給する供給時間もランダムな時間としているが、供給時間はあらかじめ設定された所定の時間にすることもできる。
【００２９】
次に図１１に示した供給電流の強弱パターンについて説明する。
図１１に例示した電流制御部８０から供給された電流により電磁石２５，３５，４５が生成する磁束密度の強弱パターンは、電磁石２５，３５，４５が生成する磁束密度が第１の磁束密度と第２の磁束密度の２種類の磁束密度を生成している（電磁石２５，３５，４５に供給される電流量が第１の電流量と第２の電流量の２種類の電流量のみとしている）点で、図１０に例示した電磁石２５，３５，４５への供給電流の強弱パターンと異なっている。
具体的には、磁気治療において基準となる基準磁束密度（ここでは３５ｍＴ）を発生させるために必要な電流量である基準電流量を第１の電流量とし、第２の電流量は、第１の電流量よりも大電流量（ここでは１５０ｍＴ）としている。電流制御部８０は、このように設定された第１の電流量と第２の電流量とを所要時間毎に交互に供給している。本実施形態においては、第１の電流量を電磁石２５，３５，４５に供給する第１電流供給時間を２．５秒とし、第２の電流量を電磁石２５，３５，４５に供給する第２電流供給時間を０．５秒とした。
【００３０】
第１電流供給時間および第２電流供給時間は、上記の供給時間に限定されるものではなく、他の供給時間を採用することもできるし、図１２に例示するように第１電流供給時間と第２電流供給時間とをそれぞれランダムな供給時間とすることもできる。
また、図１０から図１２においては、電磁石２５，３５，４５が生成する磁束密度（電磁石２５，３５，４５に供給される電流量）の変化が不連続な強弱変化をしているがこれに限定されるものではない。例えば、電磁石２５，３５，４５が生成する磁束密度（電磁石２５，３５，４５に供給される電流量）が連続的に変化させるように電流制御部８０が電磁石２５，３５，４５への電力量の供給状態を制御することもできる。
さらには、入力手段により使用者が入力した値を第１電流供給時間および第２電流供給時間に設定する電流供給時間設定部（いずれも図示せず）を配設することもできる。この電流供給時間設定部は電流制御部８０に内蔵させることもできる。
【００３１】
本実施形態においては、中央パネル部３０に対する左パネル部２０および右パネル部４０の回動角度を検出する第１の手段（および第２の検出手段）としてＬＥＤ２９ＡとＬＥＤ２９Ａが照射した光を検出するフォトトランジスタ２９Ｂを用いた構成例について説明しているが、第１の検出手段（および第２の検出手段）の構成はこの実施形態に限定されるものではない。本実施形態のように光信号により中央パネル部３０に対する左右パネル部２０，４０の回動状態を検出する場合であっても他の公知の構成を採用することができる。
【００３２】
また、中央パネル部３０に対する左右パネル部２０，４０の回動状態を検出するための信号も光信号に限定されるものではない。光信号以外の検出信号としては、例えば磁気信号等を用いることも可能である。さらには、光信号や磁気信号を検出する検出手段のような非接触式の検出手段に限らず、電極と電極に接触させて用いるロータリースイッチからなる接触型の検出手段を用いることもできる。
【００３３】
さらに、上記実施形態における左パネル部２０、中央パネル部３０、右パネル部４０の電磁石２５，３５，４５の磁極状態は複数の組み合わせのうちの一例を示したに過ぎない。他の実施形態としては、磁気治療器１０を４つ以上のパネル体により構成し、左パネル部２０、中央パネル部３０、右パネル部４０の少なくとも１つを複数のパネル体により構成させることもできる。中央パネル部３０に対する左パネル部２０および右パネル部４０の回動角度に応じた電磁石２５，３５，４５の磁極の向きの制御を容易にするためには、夫々の左パネル部２０、中央パネル部３０、右パネル部４０を構成する各パネル体の数を同一にすればよい。
【００３４】
以上に説明したように、本実施形態においては、磁気治療器１０が左パネル部２０、中央パネル部３０、右パネル部４０といったように複数のパネルを曲折可能に連結した形態について説明しているが、左パネル部２０、中央パネル部３０、右パネル部４０の連結角度に応じて磁極を切り替えする機構は省略することができる。また、単数のパネル部のみであってもよい。
要は、左パネル部２０、中央パネル部３０、右パネル部４０に配設された電磁石２５，３５，４５に供給される電流量を一定にせず、各電磁石２５，３５，４５により生成される磁気（磁束密度）に変化を生じさせて、長時間連続的に使用した場合であっても、身体の磁気慣れ現象を防止することができればよいのである。
【符号の説明】
【００３５】
１０  磁気治療器
２０  左パネル部
２２  左パネル体
２３，３３，４３  突状部
２４，４４  ヒータ
２５，３５，４５  電磁石
２６，３６，４６  バイブレータ
２８  連結穴
２９Ａ  ＬＥＤ
２９Ｂ  フォトトランジスタ
２９Ｃ  基板
２９Ｄ  突出片
３０  中央パネル部
３２  中央パネル体
３８  連結孔
４０  右パネル部
４２  右パネル体
５０  連結軸
６０  電源コード
７０  接続コード
８０  電流制御部
【図１】
0005752436.tif 000002
【図５】
0005752436.tif 000003
【図６】
0005752436.tif 000004
【図７】
0005752436.tif 000005
【図８】
0005752436.tif 000006
【図９】
0005752436.tif 000007
【図１０】
0005752436.tif 000008
【図１１】
0005752436.tif 000009
【図１２】
0005752436.tif 000010
【図２】
0005752436.tif 000011
【図３】
0005752436.tif 000012
【図４】
0005752436.tif 000013